(57)【要約】サスペンダーまたはガン・ホルスターの美的魅力と、ストラップの最下部から吊着された吊りポケットを有するバックパックのように肩の上に着用される小型のトートバッグまたはハンドバッグの機能性とを組み合わせたファッショナブルな男女兼用の私物品携帯デバイスが開示される。２つの肩ストラップは、肩のラインより下方の着用者の背中を横断して跨るブリッジによって接続される。着脱可能ポケットは、携帯電話、財布、およびマネークリップ等の男性用アイテムをスタイリッシュに保持するために十分に仕立てられている一方、鏡、化粧品、リップグロス、女性用衛生用品、名刺、櫛、およびミント菓子のような大型のアイテム等を内包する格納能力を依然として有することによって、現代の若い女性のニーズも満たすことが可能である。
2014509899.tif 000002
【特許請求の範囲】
【請求項１】
私物品をユーザの上部胴体に携帯するための少なくとも１つのハンズフリー装置を人間工学的および装飾的に配列するためのデバイスであって、該デバイスは、ブリッジ要素と、該ブリッジ要素の付近に配置される個別化されたストラップと、ユーザの私物品を保持するためのポケット手段とを組み合わせて備え、それによって、少なくとも２つのポケット手段が表面上均衡状態に配列されると、ユーザは、実質的な前弯姿勢で影響を受ける、デバイス。
【請求項２】
前記ブリッジ要素は、肩ストラップに動作可能にリンクされ、該肩ストラップは、肩のラインより下方の着用者の背中を横断して跨る前記ブリッジによって接続される、請求項１に記載のデバイス。
【請求項３】
複数の留め金をさらに備え、該複数の留め金は、調節可能な方式で前記要素の各々を接続する、請求項２に記載のデバイス。
【請求項４】
前記ポケットの各々は、着脱可能であり、代替として、ユーザの腰部からアタッチメントを介して別の既存の構造に配列されてもよい、請求項３に記載のデバイス。
【請求項５】
前記ポケットのうちの少なくとも１つは、少なくとも１つの化学部分種によって遮蔽されるか、または、アルミニウム、ならびにあらゆる金属および合金、シリコーン、およびカーボンナノチューブから本質的に成る群から選択され、それにより、例えば、携帯電話、携帯情報端末、および任意の関連電子デバイスからの望ましくない波動および／またはエネルギーのユーザへの放射を阻止する、請求項３に記載のデバイス。
【請求項６】
ＷｈｏｌｅｓｔｅｒｓＴＭブランドの私物品運搬システムであって、該システムは、
私物品を保持するための少なくとも１つのポケットと、
少なくとも１つのポケットをユーザに所望の配向で接続するための複数のストラップと、
該複数のストラップの各々についてのユーザに対する所望の空間配向を維持するためのブリッジ要素と、
ストラップをストラップに、ストラップをブリッジ要素に、およびストラップをポケットに取り付けるための複数の留め金と
を組み合わせにおいて備え、該システムは調節可能である、システム。
【請求項７】
調節は、任意の所望の要素の除去を含む、請求項６に記載のシステム。
【請求項８】
調節は、それぞれのポケットの均衡を可能にし、それによって、ユーザは、実質的な前弯姿勢を維持するように促され、その姿勢は、健康増進脊椎療法との適応性を増進する、請求項６に記載のシステム。
【請求項９】
少なくとも１つのポケットの内容物からのユーザへの望ましくないエネルギーの伝送を緩和するために、該少なくとも１つのポケットの内部および周囲に配置される少なくとも１つの遮蔽要素をさらに備え、該遮蔽要素は、少なくとも１つの化学部分種で遮蔽されるか、または、アルミニウム、ならびにあらゆる金属および合金、シリコーン、およびカーボンナノチューブから本質的に成る群から選択されることにより、例えば、携帯電話からの望ましくない波動および／またはエネルギーのユーザへの放射を阻止する、請求項６に記載のシステム。
【請求項１０】
カスタマイズまたは準カスタマイズされたグラフィックおよび／またはデザイン要素をさらに備え、該グラフィックおよび／またはデザイン要素は、前記ストラップ、少なくとも１つのポケット、およびブリッジ要素のうちの少なくとも１つの上に配置される、請求項６に記載のシステム。
【請求項１１】
キットであって、該キットは、少なくとも請求項１０に記載のシステムと、個人的に特有のセットまたは配列を作成するためのさらなるユーザベースの必要物とを備え、該必要物は、例えば、ｉＰｈｏｎｅ／ｉＴｏｕｃｈまたは他のプラットフォームあるいは個々に好ましいアイテムベースの追加物である、キット。
【請求項１２】
他のさらなる装身具を含み、該装身具は、ユーザの考慮に対して提供された装身具についての好みから選択される、請求項１１に記載のキット。
【請求項１３】
コンピュータまたはウェブインターフェースをさらに備え、該コンピュータまたはウェブインターフェースは、ユーザが、無線接続を用いるかまたは用いずに遠隔的におよび／または電子的に、ＷｈｏｌｅｓｔｅｒｓＴＭブランドの私物品運搬システムをミックスおよびマッチさせ、購入し、作成させることを可能にする、請求項１１に記載のキット。
【請求項１４】
請求項５に記載のキット。
【請求項１５】
前記デバイスは、リバーシブルである、請求項５に記載のデバイス。
【請求項１６】
前記システムは、リバーシブルである、請求項８に記載のシステム。
【請求項１７】
単一のタイプのファブリックから構成される、請求項１６に記載のシステム。
【請求項１８】
複数のタイプのファブリックから構成される、請求項１６に記載のシステム。
【請求項１９】
麻をさらに備える、請求項１８に記載のシステム。
【請求項２０】
再生利用可能および耐久性のある材料のうちの少なくとも１つをさらに備える、請求項１９に記載のシステム。
【発明の詳細な説明】
【技術分野】
【０００１】
（関連出願）
本願は、米国特許出願第１３／３７０，２６７号（２０１２年２月９日出願）および米国仮特許出願第６１／４６４，２１９号（２０１１年２月２８日出願）についてのパリ条約の利益全体およびその優先権を主張し、これらの出願の内容は、その全体が本明細書に完全に記述されているように参照することにより本明細書に援用される。
【０００２】
（開示の背景）
（１．分野）
本開示は、私物品を携帯するためのデバイス、システム、および方法に関する。特に、本開示は、ユーザにファッショナブルな男女共用の私物品運搬システムを提供し、同時に、これまで検討されていない方法で、私物品の管理を可能にするものであるが、これは、下半身に重点をおくことを含みつつ、その一方で、上部ヒト胴体は私物品の小型の入れ物を支持および配列するためのより大きくかつより十分な支持フレームを提供するという、従来技術の典型的なシステムに負担を負わせてきた制約を伴わない。
【０００３】
ベルト付き小型鞄が、何世紀もの間、男性および女性の腰部を飾ってきた。ギリシャ人が、そのベルトに硬貨を含有する小動物の皮革製バッグを取り付けていたことは公知であった。改革運動の間、参加者は、同様に、法貨を運搬する便宜的形態として、その上腹部の周囲に締結された腰帯に留められた「慈善バッグ」を身に付け、その任務において、遭遇した貧しい者に、そのような硬貨を少量ずつ広く分配することを可能にした。それ以来、ほとんど変化していない。
【０００４】
現在見られるものとして、今日の剣闘士、すなわち、例えば、アメリカンフットボールの参加者を見ると、「ウェストポーチ（ｆａｎｎｙ  ｐａｃｋ）」が、多くの場合、クォーターバックおよびレシーバー両方の腰部を飾っているが、袋またはバッグ部分は、どういう訳か取り付けられていない場合、意図的に後方に回されている。このような人気のスポーツ用装身具は、スキーヤー、バイカー、およびハイカーのニーズをサポートするために、２０世紀中頃に登場したと考えられる。そのようなアイテムは、最初は、１８０度回転可能であったが、セキュリティ向上を可能にするよう提案され（例えば、強盗がそれにアクセスすることを回避するための都市部での調整におけるように）、１９８０年代後半においては、さらに、キルティングが施された高級バージョンとしてＣｈａｎｅｌによって特徴付けられさえした。
【０００５】
ファッション業界での容認は、全般的に優美ではないという認識によって阻まれている。コメディアンのＪｅｒｒｙ  Ｓｅｉｎｆｅｌｄは、全国放送で、登場人物のＧｅｏｒｇｅ  Ｃａｓｔａｎｚａに、「君のベルトが、小動物を消化しているみたい（ｌｏｏｋｓ  ｌｉｋｅ  ｙｏｕｒ  ｂｅｌｔ  ｉｓ  ｄｉｇｅｓｔｉｎｇ  ａ  ｓｍａｌｌ  ａｎｉｍａｌ）」で、そのようなアイテムが、ネガティブな視覚的印象を作り出すとのだと提言している。（Ｔｈｅ  Ｗａｌｌ  Ｓｔｒｅｅｔ  Ｊｏｕｒｎａｌ，“Ｗｉｔｈ  Ｆａｎｎｙ  Ｐａｃｋｓ  ｏｎ  ｔｈｅ  Ｒｕｎｗａｙ，Ｃａｎ  Ｍｏｍ  Ｊｅａｎｓ  Ｂｅ  Ｆａｒ  Ｂｅｈｉｎｄ？”  Ｔｈｕｒｓｄａｙ  Ｆｅｂｒｕａｒｙ  １０，２０１１−Ｖｏｌ．ＣＣＬＶＩＩ  Ｎｏ．３３，ａｔ  ｐａｇｅｓ  Ａ１  ＆  Ａ４）。これによって、ＨｅｒｍｅｓおよびＬｏｕｉｓ  Ｖｕｉｔｔｏｎの両方ともが、つい最近の２０１０年においても、そのデザインを擁護しなくなるようなことはなく、アイテムを「ハンズフリー」で運搬および携帯する持続的なニーズを示している。
【０００６】
臀部を指す単語の我国での使用は、概して、他の英語圏の国々においても受け入れられないので、文化の境界にわたるポリティカルコレクトネス（政治的正当性）も同様に、「ウェストポーチ（ｆａｎｎｙ  ｐａｃｋ）」に否定的影響を及ぼしている。英国またはオーストラリアでは、この用語は、女性性器との関連を表し、したがって、「ウェストポーチ（ｂｕｍ  ｂａｇ）」またはフランス語バージョン（「ｌｅｓａｃ  ｂａｎａｎｅ」−その形状への無造作な関連）等も、嘲りおよび馬鹿にするような口調を帯びる。明らかに、そのようなネガティブな固定観念から解放された別のタイプの私物品運搬デバイスのニーズが存在する。
【０００７】
代替に対する他の大きな理由は、近年、男女両方ともが、多くの場合、日頃から、携帯するには圧倒される私物品の急増を目の当たりにするが、従来の小型鞄、ハンドバッグ、バックパック、および関連バッグまたはトートバッグは、このような持続的ニーズに対処する様には未だ進化していないことを認識しない者はいないことによるものである。携帯電話および／または携帯情報端末、パーソナル音楽プレーヤ、鍵、および以下に論じられるような種々の／雑貨アイテムを携帯する必要性を避けることができる者はほとんどいない。
【０００８】
そのような物品が「ハンズフリー」であるという概念は重要であるが、代替提供品の観点から、社会、ビジネス、およびファッションの境界を越える一方、付属品装備に対応可能である快適なフィット感およびユーザフレンドリーなデザインの両方を提供するものは多くない。本開示の教示によると、これらの課題が、ミックス、マッチさせ、かつそれを享受することができつつ、非常に必要とされている機能を果たす多数の提供品によってついに解決された。故に、科学分野および実用分野におけるそのような進歩は、長年にわたるニーズを解決し、それを認識する必要がある。
【発明の概要】
【課題を解決するための手段】
【０００９】
組み合わせて、ブリッジ要素と、ブリッジ要素を中心として配置される個別化されたストラップと、ユーザの私物品を保持するためのポケット手段とを備える、私物品を携帯するための少なくとも１つのハンズフリー装置を人間工学的かつ装飾的に配列するためのデバイス。
【００１０】
実施形態によると、組み合わせて、ブリッジ要素と、ブリッジ要素を中心として配置される個別化されたストラップと、ユーザの私物品を保持するためのポケット手段とを備える、私物品を携帯するための少なくとも１つのハンズフリー装置を人間工学的かつ装飾的に配列するためのデバイスが、提供される。
【００１１】
実施形態によると、私物品を保持するためのポケットと、ポケットを、所望の配向において、ユーザに接続するための複数のストラップと、ユーザに対して、各該複数のストラップの所望の空間配向を維持するためのブリッジ要素と、ストラップを、ストラップ、ブリッジ要素、およびポケットに取り付けるための複数の留め金との組み合わせを備え、調節可能である、ＷｈｏｌｅｓｔｅｒｓＴＭブランドの私物品運搬システムが、提供される。
【００１２】
実施形態によると、少なくとも前述に記載の要素セットの全部と、個人的に特有のセットまたは配列を作成するためのさらなるユーザベースの必要なもの、例えば、携帯電話、ｍｐ３プレーヤ（すなわち、それぞれ、ｉＰｈｏｎｅ、ｉＴｏｕｃｈ）、または他のプラットフォームベースの追加とを備える、キットが、提供される。
【００１３】
概略すると、サスペンダーまたはガン・ホルスターの美的魅力と、ストラップの底部から吊着された吊りポケットを伴う、バックパックのように肩から着用される、小型のトートバッグまたはハンドバッグの機能性とを組み合わせた、ファッショナブルな男女兼用私物品携帯デバイスである。２つの肩ストラップは、肩のラインより下方の着用者の背中にわたって跨着するブリッジによって接続される。ポケットは、携帯電話、デジタル音楽プレーヤ、現金、クレジット／デビットカード、名刺、筆記用具、鍵、煙草、ミント菓子／ガム、および薬等の男女共用アイテム、財布およびマネークリップ等の男性用アイテムをスタイリッシュに保持するために十分に仕立てられている一方、依然として、鏡、化粧品、リップグロス、女性用衛生用品、爪やすり、櫛／ブラシ、および他の髪用備品等の小型から大型サイズのアイテムを内包する格納能力を有することによって、現代の若い女性のニーズを満たすことが可能である。
【図面の簡単な説明】
【００１４】
【図１】図１は、本開示の教示による、外側全体平面図における、ＷｈｏｌｅｓｔｅｒｓＴＭブランドの私物品運搬システムの完全平面図である。
【図２】図２は、本開示の教示による、内側全体平面図における、ＷｈｏｌｅｓｔｅｒｓＴＭブランドの私物品運搬システムの全体平面図である。
【図３】図３は、本開示の教示による、ポケットを伴うストラップを示す実施形態の図における、ＷｈｏｌｅｓｔｅｒｓＴＭブランドの私物品運搬システムの図である。
【図４】図４は、本開示の教示による、例示的ポケットを示す実施形態の背面図における、ＷｈｏｌｅｓｔｅｒｓＴＭブランドの私物品運搬システムの図である。
【図５】図５は、本開示の教示による、例示的ポケットを示す実施形態の正面図における、ＷｈｏｌｅｓｔｅｒｓＴＭブランドの私物品運搬システムの図である。
【図６】図６は、本開示の教示による、ベルトループによってベルト上から距離を置く少なくとも１つのポケットを示す実施形態の図における、ＷｈｏｌｅｓｔｅｒｓＴＭブランドの私物品運搬システムの図である。
【図７】図７は、本開示の教示による、例示的アルミニウム製携帯電話放射障壁を示す、実施形態の図における、ＷｈｏｌｅｓｔｅｒｓＴＭブランドの私物品運搬システムの別の図である。
【図８】図８は、本開示の教示による、一方のポケットが取り外されて示される、ＷｈｏｌｅｓｔｅｒｓＴＭブランドの私物品運搬システムの図である。
【図９】図９は、本開示の教示による、両方のポケットが取り付けられて示されるＷｈｏｌｅｓｔｅｒｓＴＭブランドの私物品運搬システムの図である。
【図１０】図１０は、本開示の教示による、両方のポケットが取り付けられて示される実施形態の半身像側面図における、ＷｈｏｌｅｓｔｅｒｓＴＭブランドの私物品運搬デバイスを着用した男性モデルのイメージである。
【図１１】図１１は、本開示の教示による、両方のポケットが取り付けられて示される実施形態の全体正面図における、ＷｈｏｌｅｓｔｅｒｓＴＭブランドの私物品運搬デバイスを着用した男性モデルのイメージである。
【図１２】図１２は、本開示の教示による、両方のポケットストラップが取り付けられて示される実施形態の背面図における、ＷｈｏｌｅｓｔｅｒｓＴＭブランドの私物品運搬デバイスを着用した男性モデルのイメージである。
【図１３】図１３は、本開示の教示による、左ポケットが取り付けられて示される実施形態の左側面図における、ＷｈｏｌｅｓｔｅｒｓＴＭブランドの私物品運搬デバイスを着用した女性モデルのイメージである。
【図１４】図１４は、本開示の教示による、両方のポケットが取り付けられて示される実施形態の左側の左腕が伸展された図における、ＷｈｏｌｅｓｔｅｒｓＴＭブランドの私物品運搬デバイスを着用した女性モデルのイメージである。
【図１５】図１５は、本開示の教示による、右ポケットが取り付けられて示される実施形態の右側正面図における、ＷｈｏｌｅｓｔｅｒｓＴＭブランドの私物品運搬デバイスを着用した男性モデルのイメージである。
【図１６】図１６は、本開示の教示による、外側全体平面図における、ＷｈｏｌｅｓｔｅｒｓＴＭブランドの私物品運搬デバイスの斜視図である。
【発明を実施するための形態】
【００１５】
電子機器のユーザの中には、ＥＭＦ（電磁場）および関連する放射を懸念する者がいるが、ユーザをパーソナル運搬システムの内部の物から遮蔽するニーズは、未対処のままである。本システムは、任意の携帯電話、携帯情報端末、および／またはデジタル電子デバイスを管理するようにカスタマイズされ、およびカスタマイズ可能である実施形態を含む。
【００１６】
ファラデー箱（また、「ファラデーケージ」としても知られる）のように、ＥＭＦ／放射線遮蔽技術の使用は、ユーザと対象デバイスとの間に、少なくとも１つのアルミナまたはアルミニウム箔層を介在させることによって信号を妨害する。そのような機構は、当業者に周知であって、したがって、さらなる説明を省略する。
【００１７】
本発明者は、ユーザが、概して、日々運搬する必要がある多くの私物品が、人間工学的なブリッジおよびストラップシステムによって、ユーザに人間工学的に配置されるポケット／パウチ内に配列されることができることを発見した。
【００１８】
本発明者は、ユーザが、概して、日々、運搬する必要がある、多くの私物品が、人間工学的吊着ブリッジおよびストラップシステムによって、ユーザ上に配置されるポケット／パウチの中に配列されることができることを発見した。
【００１９】
概略すると、ＷｈｏｌｅｓｔｅｒｓＴＭブランドの私物品運搬システムは、サスペンダーまたはガン・ホルスターの美的満足と、ブリーフケース、小型スーツケース、ウェストポーチ（ｆａｎｎｙ  ｐａｃｋ）、ポケットブック、小型のトートバッグ、またはハンドバッグの機能性とを組み合わせたファッショナブルな男女兼用の私物品携帯デバイスを提供する。
【００２０】
実施形態によると、ＷｈｏｌｅｓｔｅｒｓＴＭブランドの私物品運搬システムは、ストラップの最下部から吊着された、吊りポケットを有するバックパックのように肩の上に着用される。２つの肩ストラップは、いくつかの実施形態によると、肩のラインよりおよそ２インチ下方のＷｈｏｌｅｓｔｅｒｓＴＭデバイス着用者の背中を横断して跨るブリッジによって接続される。ポケットは、携帯電話、デジタル音楽プレーヤ、現金、クレジット／デビットカード、名刺、筆記用具、鍵、煙草、ミント菓子／ガム、および薬等の男女共用アイテム、財布およびマネークリップ等の男性用アイテムをスタイリッシュに保持するために十分に仕立てられている一方、依然として、鏡、化粧品、リップグロス、女性用衛生用品、爪やすり、櫛／ブラシ、および他の髪用備品等の小型サイズから大型サイズまでのアイテムを隠す格納能力を有することによって、現代の若い女性のニーズを満たすことが可能である。私物品のスタイリッシュな格納を提供する最初の利点とともに、Ｗｈｏｌｅｓｔｅｒｓデバイスはまた、ポケット内に含有されるアイテムの重量の独特な分散をもたらすことによって、最適な携帯デバイスとして差別化する。この均衡は、ＷｈｏｌｅｓｔｅｒｓＴＭデバイスを最初に着用したときに気付く快適性をもたらし、長期使用においても、ハンドバッグおよび財布の代替として、より姿勢に優しくあり得る（ショッピングモールへの長時間の移動後の肩の痛み、またはさらに、厚い財布の上に着座して長時間運転後の男性の脚部、臀部、および腰部の痛みを想像されたい）。Ｗｈｏｌｅｓｔｅｒｓはまた、ＷｈｏｌｅｓｔｅｒｓＴＭブランド独特のいくつかの機能を特徴とする。例えば、ＷｈｏｌｅｓｔｅｒｓＴＭストラップは、小柄な子供から完全に成長した成人までの使用に対して、十分に調節可能である。吊着されたポケットは、個々にストラップから除去され、ベルトに直接取り付けられてもよい。これは、また、ＷｈｏｌｅｓｔｅｒｓＴＭ着用者に、時に応じて、一方または両方のポケットを着用する選択肢を与える。その全体としてのオリジナル形態におけるＷｈｏｌｅｓｔｅｒｓの初期成功後、個々のポケットは、ＷｈｏｌｅｓｔｅｒｓＴＭ着用者が、その独自のポケット／ストラップ色の組み合わせを作成することができるように販売されるであろう。加えて、ＷｈｏｌｅｓｔｅｒｓＴＭポケットは、各ポケットの内壁のアルミニウム障壁を特徴とし、有害な携帯電話放射が、ＷｈｏｌｅｓｔｅｒｓＴＭ着用者に害を及ぼさないように遮断するであろう。
【００２１】
次に、図１を参照すると、ブリッジ要素１０１は、本開示の教示の外側についての平面図に示されるように、本開示の実施形態によるストラップ１０３、１０５およびポケット１０７、１０９に動作可能にリンクされている。
【００２２】
図２は、ブリッジ要素１０１が、本開示の平面図に示されるように、本開示の実施形態によるストラップ１０３、１０５およびポケット１０７、１０９に動作可能にリンクされている、内側図を示す。
【００２３】
図３は、遮蔽要素を含み得るポケット１０７の詳細図を示す（例えば、ＥＭＦ／電子デバイス放射／および同等物が、ユーザに影響を及ぼさないように、またはユーザの腋窩等のリンパ節を有する領域に近接して配列されることを防止するために）。同様に、当業者に公知のような金属留め金１１１が、ストラップ１０３、ポケット１０７、およびブリッジ要素１０１の容易な着脱をもたらす適切な接合点に配置される。この留め金１１１はさらに、随伴要素のそれぞれの着脱を促進する。ポケット１０７および１０９の各々は、代替として、ユーザのベルトに配列されることができることに留意されたい。
【００２４】
図４は、金属留め金１１１を有するポケット１０９の背面図を示しており、当業者は、同一の目的を果たし、他の利点をもたらす他の公知の材料が金属と置換され得ることを理解する。
【００２５】
図５は、留め金１１１および随意のカバー１１３、ならびにストラップ部材１１５を示す、ポケット１０９の正面図である。
【００２６】
図６を参照すると、当業者は、ポケット１０７がどのように留め金１１１を使用するストラップ１０３によって、ユーザのベルト／ベルトループまたは類似の腰部関連アイテムに動作可能にリンクされ得るかを理解するであろう。
【００２７】
図７、８、および９は、同様に、アルミニウム（または、任意の類似および効果的材料）遮蔽１２２を有する実施形態を含むさらなる詳細を示す。遮蔽は、再生利用可能（リサイクルアルミニウム缶から作製される）および容易に生産される。同様に、当業者は、遮蔽要素が、論じられたように、ファラデー箱または遮蔽として作用する任意の材料（例えば、シリコーンメッシュ中のカーボンナノチューブ）を含んでもよいことを容易に理解および認識する。
【００２８】
図８および図１４は、各々、ストラップ１０５上に配列された１つのみのポケット１０９を示す一方、図９−図１２および図１６は、二重（ｄｕｅｌｉｎｇ）ポケット１０９および１０７の正面図および背面図を示す。
【００２９】
図１２を参照すると、背面図は、ブリッジ要素１０１が、どのようにユーザがそのような人間工学的システムの利点を得ることを可能にするかを示す。両側のポケット１０７、１０９の配列の均衡性によって、アセンブリ全体が、アイテムが着用されている間、ユーザの背中に適合し、実質的な前弯姿勢を維持するよう助長または促進する。子供は、文献において、より真っすぐな姿勢で着座する傾向にあり、および快適かつ直立姿勢の両方を可能にするポジショニングのタイプを促進するボディアウェアネス（自己受容性感覚を含む）を示す。
【００３０】
図１３を参照すると、側面図は、ストラップ１０３上に配列された単一のポケット１０７を有する実施形態を示す一方、図１５の正面図は、ストラップ１０５上に配列された単一のポケット１０９を有する    施形態を示す。
【００３１】
次に、図１５および１６を参照すると、ポケット１０９は、同様に、一体型または片側配列において、ストラップ１０５上に配列されている。図１６は、同様に、ストラップ１０５の各々に取り付けられた中心リンク１１１を示し、サムキャッチ１１３によって容易に調節される。
【００３２】
ユーザおよび初期プロトタイプからのフィードバックに従って、中心リンク１１１は、ＷｈｏｌｅｓｔｅｒｓＴＭブランドのユニットを身体に密着させ、自己受容性感覚の向上をもたらす。すなわち、ユーザの胸部に対してぴったりとフィットされる。任意のタイプのスケート、ランニング、および／またはスポーツ用のＷｈｏｌｅｓｔｅｒｓＴＭブランドのデバイスの使用者は、本実施形態によって快適となり、および姿勢が正される。
【００３３】
図１０−１６は、本システムの付随する利点およびファッションベースの側面のうちのいくつかを示す。その固有の美的魅力によって、ＷｈｏｌｅｓｔｅｒｓＴＭブランドの私物品運搬システムの使用は、スケートボーダー、登山者、映画やテレビの男優および女優、ならびにアクティブであって、さらに正しいイメージを投影しようとする者を魅了する。本教示の出現に先立って、「ガン・ホルスター」タイプの配列の活用が、本開示のように、パーソナルな拳器ではないアイテムを携帯する際の大衆向けにされたものは知られていない。
【００３４】
本方法および装置は、現在、最も実践的かつ好ましい実施形態と見なされるものの観点から説明されたが、本開示は、開示される実施形態に限定される必要がないことを理解されたい。請求項の精神および範囲内に含まれる種々の修正ならびに類似配列を網羅することが意図され、その範囲は、全てのそのような修正および類似構造を包含するように、最も広義な解釈が与えられるべきである。本開示は、以下の請求項の任意かつ全ての実施形態を含む。
【００３５】
また、種々の変更が、本発明の本質から逸脱することなく、行われてもよいことを理解されたい。そのような変更もまた、説明の中に暗黙的に含まれる。それらは、依然として、本発明の範囲内にある。本開示は、方法および装置形態の両方において、独立して、かつ全体的システムとしての両方において、本発明の多数の側面を網羅する特許をもたらすことが意図されることを理解されたい。
【００３６】
さらに、本発明および請求項の種々の要素はそれぞれまた、種々の様式で達成されてもよい。本開示は、各そのような変形例を包含し、任意の装置実施形態、方法、またはプロセス実施形態の実施形態の変形例である、あるいは単に、これらの任意の要素の変形例でさえあることを理解されたい。
【００３７】
特に、本開示は、本発明の要素に関し、各要素に対する言葉は、唯一の機能または結果が、同一である場合でも、同等装置用語または方法用語によって表され得ることを理解されたい。
【００３８】
そのような同等、より広義、またはさらにより一般的用語は、各要素または作用の説明に包含されるものと見なされるべきである。そのような用語は、本発明に権利がある暗黙的広義な範囲を明示的にすることを所望する場合、置換することができる。
【００３９】
全作用は、その作用を行うために手段として、またはその作用を生じさせる要素として、表され得ることを理解されたい。
【００４０】
同様に、開示される各物理的要素は、その物理的要素が促進する作用の開示を包含することを理解されたい。
【００４１】
本特許のために本願に記載された任意の特許、刊行物、または他の参考文献は、参照することによって本明細書に組み込まれる。加えて、使用される各用語に関して、本願におけるその利用が、そのような解釈と矛盾しない限り、一般的辞書定義が、当業者によって認識される標準的技術辞書のうちの少なくとも１つに含有されるような各用語および全定義、代替用語、ならびに同意語に対して組み込まれるものと理解されるべきであって、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ（最新版）が、参照することによって本明細書に組み込まれるものと理解されたい。
【００４２】
最後に、本願とともに出願された情報開示申告書または他の情報申告書に列挙される全ての参考文献は、本明細書に添付され、参照することによって本明細書に組み込まれる。しかしながら、前述のそれぞれに関して、参照することによって組み込まれるそのような情報または申告書が、この／これらの発明の特許取得と矛盾すると見なされる場合に限り、そのような申告書は、出願人によって行われたとして明示的に見なされない。
【００４３】
この点において、実践的理由から、および潜在的に数百もの請求項を追加することを回避するために、出願人は、初期従属項のみを有する請求項を提示していることを理解されたい。
【００４４】
サポートは、新規事項法（米国特許法第３５ＵＳＣ１３２条または他のそのような法律を含むが、それらに限定されない）の下で要求される程度まで存在し、１つの独立請求項または概念の下に提示された種々の従属項または他の要素のいずれかの追加が、任意の他の独立請求項または概念の下での従属項または要素として許可されることを理解されたい。
【００４５】
実質のない置換がなされている限りにおいて、出願人が任意の特定の実施形態を事実上包含するように実際にいかなる請求項も作成しなかった限りにおいて、さらに別様に出願可能である限りにおいて、出願人は単純にあらゆる不測の事態を想定することができなかった可能性があるため、いかようにも、出願人がそのような範囲を意図していた、または実際には放棄していたと理解されるべきではない。当業者が、そのような代替実施形態を事実上包含していたであろう請求項を作成していたと合理的に予想されるべきではない。
【００４６】
さらに、移行句「ｃｏｍｐｒｉｓｉｎｇ」の使用は、従来の請求項解釈に従って、本明細書中の「オープンエンド」請求項を維持するために使われている。したがって、文脈によって別様に要求されない限り、用語「ｃｏｍｐｒｏｍｉｓｅ」または「ｃｏｍｐｒｉｓｅｓ」や「ｃｏｍｐｒｉｓｉｎｇ」等の変形例は、記載された要素またはステップあるいは要素またはステップ群の含有を含意するが、任意の他の要素またはステップあるいは要素またはステップ群を除外しないことが意図されることを理解されたい。
【００４７】
そのような用語は、合法的に許される最も広義の範囲を出願人に与えるように、その最も拡張的な形で解釈されるべきである。
【図１】
2014509899.tif 000003
【図２】
2014509899.tif 000004
【図３】
2014509899.tif 000005
【図４】
2014509899.tif 000006
【図５】
2014509899.tif 000007
【図６】
2014509899.tif 000008
【図７】
2014509899.tif 000009
【図８】
2014509899.tif 000010
【図９】
2014509899.tif 000011
【図１０】
2014509899.tif 000012
【図１１】
2014509899.tif 000013
【図１２】
2014509899.tif 000014
【図１３】
2014509899.tif 000015
【図１４】
2014509899.tif 000016
【図１５】
2014509899.tif 000017
【図１６】
2014509899.tif 000018
【国際調査報告】
2014509899.tif 000019
2014509899.tif 000020